(57)【要約】【課題】自吸式ポンプ内に溜まっている風呂水などが水道側へ逆流することを、抑制することが容易となる洗濯機を提供する。【解決手段】洗濯物が入れられる槽部と、水道に接続される給水弁と、前記給水弁とホースによって繋がっており、水道水を呼び水として供給し、外部に蓄えられている水を前記槽部内へ移す自吸式ポンプと、を備え、前記槽部内に移された水を用いて前記洗濯物を洗濯する洗濯機であって、前記ホースの外側から内側へ空気が流入可能となるように、該ホースの一部を開放させる開放弁を備えた洗濯機とする。【選択図】図７
2013034534.tif 000002
【特許請求の範囲】
【請求項１】
洗濯物が入れられる槽部と、
水道に接続される給水弁と、
前記給水弁とホースによって繋がっており、水道水を呼び水として供給し、外部に蓄えられている水を前記槽部内へ移す自吸式ポンプと、を備え、
前記槽部内に移された水を用いて前記洗濯物を洗濯する洗濯機であって、
前記ホースの外側から内側へ空気が流入可能となるように、該ホースの一部を開放させる開放弁を備えたことを特徴とする洗濯機。
【請求項２】
前記開放弁は、
前記水道が負圧となり前記ホース内が所定の負圧状態となったときに、該ホースの一部を開放させるように動作することを特徴とする請求項１に記載の洗濯機。
【請求項３】
前記開放弁は、
前記ホースの途中部分に設けられていることを特徴とする請求項２に記載の洗濯機。
【請求項４】
前記自吸式ポンプは、
浴槽に蓄えられている風呂水を前記槽部内へ移す、風呂水用ポンプであることを特徴とする請求項１から請求項３の何れかに記載の洗濯機。
【請求項５】
洗濯物が入れられる槽部と、
水道に接続される給水弁と、
前記給水弁とホースによって繋がっており、水道水を呼び水として供給し、外部に蓄えられている水を前記槽部内へ移す自吸式ポンプと、
前記自吸式ポンプから前記水道への水の逆流を防止する逆流防止部と、
を備え、
前記槽部内に移された水を用いて前記洗濯物を洗濯する洗濯機であって、
前記逆流防止部は、
前記水道が負圧となり前記ホース内が所定の負圧状態となったときに、前記ホースの内側へ外側の空気が入るようにすることで、前記逆流を防止することを特徴とする洗濯機。
【発明の詳細な説明】
【技術分野】
【０００１】
本発明は、衣類などの洗濯に用いられる洗濯機に関する。
【背景技術】
【０００２】
従来、衣類などの洗濯に用いられる洗濯機が広く利用されている。また洗濯機によっては、例えば風呂水を利用し易くするために、自吸式ポンプが設けられている。このような洗濯機によれば、自吸式ポンプを使って浴槽に蓄えられている風呂水を槽部（例えば脱水槽）に移し、この水を用いて洗濯を行うことが可能となる。
【０００３】
また一般的に、自吸式ポンプを駆動させるにあたっては、事前に呼び水を供給しておく必要がある。そのため自吸式ポンプは、例えば水道に接続される給水弁に繋がっており、給水弁から供給される水道水を呼び水として用いる。
【先行技術文献】
【特許文献】
【０００４】
【特許文献１】特開平９−２４８３９８号公報
【発明の概要】
【発明が解決しようとする課題】
【０００５】
上述した自吸式ポンプを備えた洗濯機においては、給水弁と自吸式ポンプはホースによって直結され、給水弁から自吸式ポンプへの水道水の供給が可能とされる。しかし当該構成によれば、何らかの要因によって水道が負圧となった場合、自吸式ポンプ内に溜まっている風呂水などが水道側へ逆流するおそれがある。
【０００６】
本発明は上述した問題に鑑み、自吸式ポンプ内に溜まっている風呂水などが水道側へ逆流することを、抑制することが容易となる洗濯機の提供を目的とする。
【課題を解決するための手段】
【０００７】
上記目的を達成するため、本発明に係る洗濯機は、洗濯物が入れられる槽部と、水道に接続される給水弁と、前記給水弁とホースによって繋がっており、水道水を呼び水として供給し、外部に蓄えられている水を前記槽部内へ移す自吸式ポンプと、を備え、前記槽部内に移された水を用いて前記洗濯物を洗濯する洗濯機であって、前記ホースの外側から内側へ空気が流入可能となるように、該ホースの一部を開放させる開放弁を備えた構成とする。
【０００８】
本構成によれば、自吸式ポンプ内に溜まっている風呂水などが水道側へ逆流することを、抑制することが容易となる。
【０００９】
また上記構成としてより具体的には、前記開放弁は、前記水道が負圧となることにより前記ホース内が所定の負圧状態となったときに、前記ホースの一部を開放させるように動作する構成としてもよい。また上記構成としてより具体的には、前記開放弁は、前記ホースの途中部分に設けられている構成としてもよい。
【００１０】
また上記構成において、前記自吸式ポンプは、浴槽に蓄えられている風呂水を前記槽部内へ移す、風呂水用ポンプである構成としてもよい。本構成によれば、風呂水を用いた洗濯を行う際の利便性を向上させることが可能となる。
【００１１】
また本発明に係る洗濯機は、洗濯物が入れられる槽部と、水道に接続される給水弁と、前記給水弁とホースによって繋がっており、水道水を呼び水として供給し、外部に蓄えられている水を前記槽部内へ移す自吸式ポンプと、前記自吸式ポンプから前記水道への水の逆流を防止する逆流防止部と、を備え、前記槽部内に移された水を用いて前記洗濯物を洗濯する洗濯機であって、前記逆流防止部は、前記水道が負圧となることにより前記ホース内が所定の負圧状態となったときに、前記ホースの内側へ外側の空気が入るようにすることで、前記逆流を防止する構成とする。
【００１２】
本構成によれば、自吸式ポンプ内に溜まっている風呂水などが水道側へ逆流することを、抑制することが可能となる。
【発明の効果】
【００１３】
上述した通り、本発明に係る洗濯機によれば、自吸式ポンプ内に溜まっている風呂水などが水道側へ逆流することを、抑制することが容易となる。
【図面の簡単な説明】
【００１４】
【図１】本発明の実施形態に係る洗濯乾燥機の前方斜め上視点で示す外観図である。
【図２】本発明の実施形態に係る洗濯乾燥機の側方視点で示す外観図である。
【図３】本発明の実施形態に係る洗濯乾燥機の側方視点で示す断面図である。
【図４】本発明の実施形態に係る洗濯乾燥機の概略化した断面図である。
【図５】当該洗濯乾燥機における給水ユニット近傍の外観図である。
【図６】風呂水を用いた給水に関わる部分の構成形態に関する説明図である。
【図７】風呂水を用いた給水に関わる部分の構成形態に関する別の説明図である。
【発明を実施するための形態】
【００１５】
以下、本発明の実施形態について、図面を参照しながら詳述する。図１は、本発明の実施形態に係る洗濯乾燥機１を前方斜め上視点で示す外観図であり、図２は、洗濯乾燥機１を側方視点で示す外観図である。また図３は、洗濯乾燥機１を側方視点で示す断面図である。なお図１および図２は、蓋部１５が開かれた状態を表しており、図３は、蓋部１５が閉じられており、かつ、一つのフック１５ｂにハンガー２が掛けられている状態を表している。また図３の左上の部分は、破線で囲まれた領域の拡大図を表している。
【００１６】
また図４は、洗濯乾燥機１の主な構造を理解容易とするため、上面板１１より下側の部分について、側方視点による洗濯乾燥機１の概略化した断面図を示したものである。図２から図４の各々に示した洗濯乾燥機１は、左側が前面、右側が背面である。
【００１７】
［洗濯乾燥機の全体的な構成等について］
以下、図１〜図４などを参照しながら、洗濯乾燥機の全体的な構成等について説明する。洗濯乾燥機１は全自動型であり、直方体形状の外箱１０を備えている。外箱１０は、略直方体に成形され、その上側は開放されている。外箱１０の上側の開放部は上面板１１で覆われている。
【００１８】
上面板１１の前部には、洗濯乾燥機の操作を受付ける操作部（操作ボタン等）が設けられている。上面板１１の背面側にはバックパネル１４が装着される。
【００１９】
上面板１１の中央部には、洗濯乾燥機１内に洗濯物を投入するための出入口（開口部）１１ａが開設されている。出入口１１ａは、バックパネル１４の前端部に設けたヒンジ部１５ａで枢支される蓋部１５によって開閉される。ヒンジ部１５ａは、洗濯乾燥機１の前後方向の中心より後側の位置に設けられている。
【００２０】
蓋部１５の周縁にはパッキン（不図示）が設けられ、蓋部１５の全閉時には、出入口１１ａと蓋部１５との間が密封される。なお蓋部１５の前側には、全閉時に上面板１１の前側上部に引っ掛けて蓋部１５を係止（ラッチ）することが可能な、爪１５ｃが設けられている。爪１５ｃが上面板１１に引っ掛かっている状態では、蓋部１５は、上向きの力が加わっても開かないようになっている。
【００２１】
図２に示すように蓋部１５は、ヒンジ部１５ａの軸を中心にして、上下方向（前後方向と見ることも出来る）に回動可能となっている。これによりユーザは、蓋部１５を上方向へ回動させて蓋部１５を開き、下方向へ回動させて蓋部１５を閉じることが可能である。蓋部１５が開かれている状態（換言すれば、出入口１１ａが開かれている状態）では、ユーザは、脱水槽３０に洗濯物などを投入したり、脱水槽３０から洗濯物などを取り出したりすることができる。
【００２２】
また蓋部１５における出入口１１ａに対向する面（下側の面）には、ハンガー２を掛けるためのフック１５ｂが設けられている。これによりユーザは、蓋部１５を開けた状態で、衣類（乾燥対象物）を取り付けたハンガー２をフック１５ｂに掛けることが可能である。
【００２３】
この状態から、ユーザによって蓋部１５が閉じられる（換言すれば、出入口１１ａが閉じられる）ことにより、脱水槽３０内において衣類を吊り下げた状態とすることが可能である。なお図３（特に左上の部分）に示すように、フック１５ｂは左右方向を軸とする円筒形状の部分を有している。そしてハンガー２は鉤形状の部分を有しており、この鉤形状の部分がフック１５ｂの円筒形状の部分に、前後方向へ回転自在に掛けられるようになっている。
【００２４】
これによりフック１５ｂに掛けられたハンガー２は、蓋部１５の角度が変動しても、重力の作用によって常に下向き（衣類を自然に吊り下げる向き）となる。後述する通り洗濯乾燥機１は、ハンガー２を用いて吊り下げられた衣類に対し、吊り干乾燥を行うことが可能となっている。
【００２５】
外箱１０の内部には、洗濯槽を兼ねる脱水槽３０と、脱水槽３０を収容する水槽２０が収容される。脱水槽３０は、洗剤を溶かした水またはすすぎ用の水（以下これらを総称して「洗濯水」という）を溜める。水槽２０及び脱水槽３０は、ともに上方に向けて開口した有底筒状のカップの形状を呈しており、各々軸線を垂直にして水槽２０を外側、脱水槽３０を内側とする形で同心的に配置される。
【００２６】
水槽２０は、サスペンション部材２１によって吊り下げられる。サスペンション部材２１は、水槽２０の外面下部と外箱１０の内面コーナー部とを連結する形で計４箇所に配備され、水槽２０を水平面内で揺動できるように支持している。
【００２７】
脱水槽３０は上方にテーパ状に広がる周壁を有し、この周壁にはその最上部に環状に配置した複数個の脱水孔３１を除いて、液体を通すための開口部はない。即ち、脱水槽３０はいわゆる「孔なし」タイプに形成される。脱水槽３０の上部開口部の縁には、洗濯物の脱水のため脱水槽３０を高速回転させたときに振動を抑制する働きをする、環状のバランサ３２が装着される。脱水槽３０の内部底面には、槽内で洗濯水の流動を生じさせるためのパルセータ３３が配置される。
【００２８】
水槽２０の下面には、駆動ユニット４０が取り付けられる。駆動ユニット４０はモータ４１及びクラッチ・ブレーキ機構４３を有している。クラッチ・ブレーキ機構４３は、モータ４１にベルト４２で連結され、脱水軸４４及びパルセータ軸４５が上方に突出する。クラッチ・ブレーキ機構４３は電磁力で動作し、脱水軸４４及びパルセータ軸４５の一方を、択一的にモータ４１に連結する。また、クラッチ・ブレーキ機構４３は電磁力によって脱水軸４４の回転にブレーキを掛けるとともに、ブレーキを解除する。
【００２９】
脱水軸４４とパルセータ軸４５は二重軸構造となっており、脱水軸４４が外側に配されてパルセータ軸４５が内側に配される。脱水軸４４は、水槽２０を貫通して脱水槽３０に連結され、脱水槽３０を軸支する。パルセータ軸４５は、水槽２０及び脱水槽３０を貫通してパルセータ３３に連結され、パルセータ３３を軸支する。脱水軸４４と水槽２０との間、及び脱水軸４４とパルセータ軸４５との間には、各々水もれを防ぐためのシール部材が配置される。
【００３０】
上面板１１の下側には、側面が蛇腹状である略筒形状の連結部品１７が固定されている。連結部品１７によって、脱水槽３０の回転等による水槽２０の振動が吸収されるように、上面板１１と水槽２０とが連結されている。
【００３１】
また、上面板１１及び連結部品１７により、出入口１１ａの周囲と水槽２０の上面との間を遮蔽する遮蔽部が構成される。遮蔽部によって水槽２０と出入口１１ａとの間に密封空間が形成される。これにより、水槽２０の上面を開閉する内蓋を必要とせず、蓋部１５を閉じて洗濯及び乾燥を行うことができる。
【００３２】
外箱１０の後部の上面板１１上には、乾燥ユニットが設置されている。乾燥ユニットは、送風機やヒータなどを備えており、吊り干乾燥動作の実行時に、脱水槽３０の内周壁に沿って温風を吹き出す（脱水層３０内に温風を供給する）機能を有している。
【００３３】
また上面板１１における後側の部分には、脱水槽３０内への給水を行うための給水ユニットが設けられている。給水ユニットは、水道に接続される給水弁、脱水槽３０の上方に配置された給水口、および自吸式ポンプ（風呂水用ポンプ）などが設けられている。
【００３４】
そして給水ユニットは、水道水モード（水道水を用いた給水を行う動作形態）および風呂水モード（風呂水を用いた給水を行う動作形態）のうちの、何れかの動作形態で動作する。なお、洗濯動作時の給水等が何れの動作形態で行われるかについては、ユーザが選択可能となっている。
【００３５】
水道水モードが選択された場合、給水ユニットは、給水弁や給水口を介して、水道水が脱水槽３０内へ供給されるように動作する。なおこのとき、給水弁の開閉によって、給水量が制御されることになる。
【００３６】
風呂水モードが選択された場合、給水ユニットは、風呂水が脱水槽３０内へ供給されるように動作する。なお、給水ユニットにおける、風呂水を用いた給水に関わる部分の構成形態については、改めて詳細に説明する。
【００３７】
水槽２０の底部には、水槽２０及び脱水槽３０内の水を外箱１０の外部に排水する、排水ホース６０が取付けられている。脱水槽３０には、排水孔６２が同一円周上に４箇所設けられ、各排水孔６２と排水ホース６０との間は、排水ダクト６１により連結される。排水ダクト６１内には、排水弁６３が設けられる。排水弁６３を開くと、排水ダクト６１及び排水ホース６０を介して、脱水槽３０内の水が排水される。また、脱水時に脱水槽３０の上部から流出した水は、水槽２０の周壁と脱水槽３０の周壁との間を通って、排水ホース６０から排水される。
【００３８】
また洗濯乾燥機１は、蓋部１５の開閉状態を検知する蓋開閉センサ、脱水槽３０の水位を検知する水位センサ、脱水槽３０の内部の温度を検知する温度センサ、および脱水槽３０の内部の湿度を検知する湿度センサといった、各種のセンサが備えられている。
【００３９】
また洗濯乾燥機１には、ユーザの操作や各種センサの検出情報などに応じ、洗濯乾燥機１が適切に動作するように各部を制御する、制御装置が備えられている。当該制御装置は、例えば外箱１０の背面上部に配されており、モータ４１や乾燥ユニットなどを制御するようになっている。
【００４０】
上記構成の洗濯乾燥機１においては、出入口１１ａから脱水槽３０に洗濯物が入れられ、蓋部１５が閉じられる。ユーザによって洗濯条件が選択され、洗濯の開始が指示されると、蓋開閉センサにより蓋部１５が閉じたことを検知して、洗濯工程の動作が実行される。
【００４１】
洗濯工程では、給水ユニットによって、脱水槽３０への給水がなされる。脱水槽３０に所定量の水が溜まると、水位センサによってこれが検知され、給水が停止される。次に、クラッチ・ブレーキ機構４３により、パルセータ軸４５をモータ４１に連結してモータ４１を駆動する。これにより、パルセータ３３が回転し、脱水槽３０の中の水を攪拌して洗濯動作が行われる。
【００４２】
洗濯工程を開始して所定時間が経過すると、排水弁６３を開いて脱水槽３０内の水が排水され、クラッチ・ブレーキ機構４３により、脱水軸４４がモータ４１に連結される。これにより、モータ４１の駆動によって脱水槽３０が高速回転して脱水動作が行われる。脱水槽３０の高速回転によって洗濯物から飛散した水は、排水ダクト６１及び脱水孔３１から流出する。
【００４３】
また脱水動作を開始して所定時間が経過すると、モータ４１が停止され、排水弁６３が閉じられる。その後、脱水槽３０への給水が行われ、更にクラッチ・ブレーキ機構４３が、パルセータ軸４５をモータ４１に連結してモータ４１を駆動する。これにより、パルセータ３３が回転し、脱水槽３０の中の水を攪拌してすすぎ動作が行われる。
【００４４】
すすぎ動作を開始して所定時間が経過すると、上記の脱水動作が再度行われる。そして、脱水動作が所定時間行われると、洗濯工程が終了する。また洗濯乾燥機１は、ユーザによる吊り干乾燥動作の実行指示がなされたときには、吊り干乾燥動作を開始する。
【００４５】
吊り干乾燥動作は、温風を脱水槽３０内に供給して循環させることにより、吊り下げられた衣類の乾燥（吊り干乾燥）を行う動作である。すなわち洗濯乾燥機１は、予め衣類が吊り下げられた状態にて吊り干乾燥動作を行うことにより、当該衣類の吊り干乾燥を実現させる。
【００４６】
［風呂水を用いた給水に関わる部分の構成形態］
先述した通り、洗濯乾燥機１における給水ユニットは、風呂水を用いた給水を行うことが可能となっている。給水ユニットにおける、風呂水を用いた給水に関わる部分の構成形態について、以下に説明する。
【００４７】
図５は、洗濯乾燥機１における給水ユニットの近傍の外観図（開放弁７５については、概略的な位置のみを示す）であり、図６は、給水ユニットにおける風呂水を用いた給水に関わる部分の構成形態を、模式的に示したものである。これらの図に示すように、当該給水ユニット７０には、給水弁７１、自吸式ポンプ７２、呼び水用ホース７３、給水口７４、および開放弁７５などが設けられている。
【００４８】
給水弁７１は、水道ホースの先端が取り付け可能となっており、水道ホースを介して水道に接続される。給水弁７１は開閉するように制御され、給水弁７１が開くことにより、給水ユニット７０内に水道水が供給される。自吸式ポンプ７２に呼び水を供給する際等には、給水弁７１は開かれる。
【００４９】
自吸式ポンプ７２は、呼び水用ホース７３によって給水弁７１に繋がっている。また自吸式ポンプ７２は、風呂水ホースの一端が接続可能となっており、風呂水ホースを介して浴槽の内部（洗濯乾燥機１の外部であって、風呂水が貯められている所）に接続される。
【００５０】
また自吸式ポンプ７２は、給水弁７１から呼び水用ホース７３を通じて供給される水道水を、呼び水として用いて動作する。このとき水道水は、図６の着色矢印で示すように、水道から、水道ホース、給水弁７１、および呼び水用ホース７３を順に通って、自吸式ポンプ７２へ届けられる。
【００５１】
また自吸式ポンプ７２は、脱水槽３０の上方に設けられている給水口７４に繋がっている。自吸式ポンプ７２は、呼び水を用いて風呂水を吸い上げ、給水口７４から放出させるように動作することで、風呂水を用いた脱水槽３０内への給水を実現させる。このとき風呂水は、図６の白抜き矢印で示すように、浴槽から、風呂水ホース、自吸式ポンプ７２、および給水口７４を順に通って、脱水槽３０内へ移される。なお自吸式ポンプの構成や動作の原理自体については既知であるため、ここではその詳細な説明を省略する。
【００５２】
開放弁７５は、呼び水用ホース７３の途中部分に設けられており、開閉するように動作する。開放弁７５が閉じている状態では、呼び水用ホース７３内は密閉状態となっており、水漏れ等を生じることなく、給水弁７１から自吸式ポンプ７２への水道水の供給が可能である。一方、開放弁７５が開いている状態では、呼び水用ホース７３の外側から内側へ空気が流入可能となるように、呼び水用ホース７３の一部が開放され、呼び水用ホース７３内の密閉状態は解消される。
【００５３】
また開放弁７５は、通常時では閉じているが、水道が負圧となり呼び水用ホース７３内が所定の負圧状態となったときには、開くように（呼び水用ホース７３の外側から内側へ空気が流入可能となるよう、呼び水用ホース７３の一部を開放するように）動作する。更に開放弁７５は、この負圧状態が解消されたときには、再び閉じた状態に戻るように動作する。
【００５４】
呼び水用ホース７３内が負圧状態となったときに開放弁７５が開くと、図７の矢印で示すように、開放された部分を通じて、呼び水用ホース７３の外側から内側へ空気が入ることになる。これにより水道側へは、開放された部分から入ってきた空気が吸われるようになる。その結果、自吸式ポンプ７２内に溜まっている風呂水などが水道側へ逆流することは、抑制されることになる。
【００５５】
このように開放弁７５によれば、何らかの要因で水道が負圧となっても、自吸式ポンプ７２内に溜まっている風呂水などが水道側へ逆流することが抑制される。つまり開放弁７５は、水道が負圧となり呼び水用ホース７３内が所定の負圧状態となったときに、呼び水用ホース７３の内側を外側へ開放させ、呼び水用ホース７３の内側へ外側の空気が入るようにすることで、自吸式ポンプ７２から水道への水の逆流を防止する役割を果す。
【００５６】
開放弁７５の構成や動作の形態は、水道が負圧となり呼び水用ホース７３内が所定の負圧状態となったときに開くものとして、種々の形態とすることが可能である。図６および図７に示す形態では、ヒンジ機構７５ａを中心にして開放弁７５が回動する（開閉を行う）形態となっているが、このような形態に限定されるものではない。
【００５７】
なお、呼び水用ホース７３内の圧力状態を利用して開放弁７５が開くようになっていれば、負圧状態が生じたときには自動的に開放弁７５が開き、負圧状態が解消されたときには自動的に開放弁７５が閉じるようにすることが、容易に実現可能である。また開放弁７５は、一般的なバキュームブレーカに準じた構成としても良い。
【００５８】
また開放弁７５は、例えば、呼び水用ホース７３内の圧力が僅かに負圧となっただけで直ちに開くようになっていても良く、ある一定の負圧（閾値）に達したときに開くようになっていても良い。呼び水用ホース７３内がどの程度の負圧状態となったときに、開放弁７５が開くようにするかについては、洗濯乾燥機１の用途や逆流防止の重要度などに応じて適切に設定され得る。
［その他］
【００５９】
以上に説明した通り、本実施形態に係る洗濯乾燥機１は、洗濯物が入れられる槽部（脱水槽３０などにより形成されている）と、水道に接続される給水弁７１と、給水弁７１と呼び水用ホース７３によって繋がっており、水道水を呼び水として供給し、浴槽に蓄えられている風呂水（外部に蓄えられている水）を槽部内へ移す自吸式ポンプ７２と、を備え、槽部内に移された水を用いて洗濯物を洗濯する。
【００６０】
そして洗濯乾燥機１は更に、呼び水用ホース７３の外側から内側へ空気が流入可能となるように、呼び水用ホース７３の一部を開放させる開放弁７５を備えている。そのため洗濯乾燥機１によれば、自吸式ポンプ内に溜まっている風呂水などが水道側へ逆流することを、抑制することが容易となっている。
【００６１】
なお給水弁と自吸式ポンプを繋ぐ「ホース」（本実施形態では、呼び水用ホース７３）については、形状や材質などは特に限定されない。この「ホース」は、給水弁から自吸式ポンプへ水を通す管としての機能を有する限り、種々の形態を採り得る。
【００６２】
また本実施形態の自吸式ポンプ７２は、浴槽に蓄えられている風呂水を槽部内へ移す、風呂水用ポンプとなっている。そのため洗濯乾燥機１は、風呂水を用いた洗濯を行う際の利便性に優れたものとなっている。但し自吸式ポンプとしては、風呂水用以外のものが採用され、風呂水以外の水を槽部内へ移すようになっていても構わない。
【００６３】
また本発明は、乾燥機能を有していない洗濯機を含め、自吸式ポンプを有する様々な形態の洗濯機に利用可能である。以上、本発明の実施形態について説明したが、本発明はこの内容に限定されるものではない。また本発明の実施形態は、本発明の主旨を逸脱しない限り、種々の改変を加えることが可能である。
【産業上の利用可能性】
【００６４】
本発明は、自吸式ポンプを有する洗濯機に利用することができる。
【符号の説明】
【００６５】
１    洗濯乾燥機
２    ハンガー
１０    外箱
１１    上面板
１１ａ  出入口
１４    バックパネル
１５    蓋部
１５ａ  ヒンジ部
１５ｂ  フック
１５ｃ  爪
１７    連結部品
２０    水槽
３０    脱水槽（槽部の一部）
３２    バランサ
３３    パルセータ
４０    駆動ユニット
４１    モータ
４２    ベルト
４３    クラッチ・ブレーキ機構
４４    脱水軸
４５    パルセータ軸
６０    排水ホース
６１    排水ダクト
６２    排水孔
６３    排水弁
７０    給水ユニット
７１    給水弁
７２    自吸式ポンプ（風呂水用ポンプ）
７３    呼び水用ホース
７４    給水口
７５    開放弁
７５ａ  ヒンジ機構
【図１】
2013034534.tif 000003
【図２】
2013034534.tif 000004
【図３】
2013034534.tif 000005
【図４】
2013034534.tif 000006
【図６】
2013034534.tif 000007
【図７】
2013034534.tif 000008
【図５】
2013034534.tif 000009